(57)【特許請求の範囲】
【請求項１】
出光面と、前記出光面に対向する裏面と、前記出光面と前記裏面との間の側面の一部分からなる少なくとも一つの入光面と、前記側面の一部分からなり第１方向に沿って一つの入光面に対向する反対面と、を有する導光板であって、
本体部と、
前記第１方向と交差する配列方向に並べて前記本体部の一側面上に配列され、前記出光面をなす複数の単位形状要素と、を備え、
前記複数の単位形状要素の各々は、その配列方向と交差する方向に延び、
前記本体部の前記一側面への法線方向と前記配列方向との両方に平行な主切断面において前記単位形状要素の外輪郭が前記本体部の前記一側面に対してなす角度を出光面角度とすると、前記配列方向に沿った前記単位形状要素の幅のうちの３５％以上７０％以下に対応する前記外輪郭上の領域において、前記単位形状要素の前記出光面角度が１０°より大きく３０°以下となっており、
前記単位形状要素は、前記主切断面において、前記本体部の前記一側面上に一辺が位置するとともに前記外輪郭上における頂部と各端部との間に二辺が位置する五角形形状、或いは、前記五角形形状の一以上の角を面取りしてなる形状を有し、
前記外輪郭上における頂部と各端部との間に位置する前記二辺のうち、前記頂部側の一辺の出光面角度が１０°より大きく３０°以下であり、前記端部側の一辺の出光面角度が３０°より大きく６０°以下である、導光板。
【請求項２】
前記単位形状要素の前記出光面角度は、前記本体部から最も離間した前記単位形状要素の前記外輪郭上の頂部から前記本体部に最も接近した前記単位形状要素の前記外輪郭上の端部へ向けて、大きくなる、請求項１に記載の導光板。
【請求項３】
前記単位形状要素の前記主切断面における前記外輪郭上の全域において、前記出光面角度は１０°より大きく６０°以下となっている、請求項１または２に記載の導光板。
【請求項４】
前記配列方向に沿った前記単位形状要素の幅のうちの３０％以上６５％以下に対応する前記外輪郭上の領域において、前記出光面角度が３０°より大きく６０°以下となっている、請求項１〜３のいずれか一項に記載の導光板。
【請求項５】
前記主切断面における前記単位形状要素の前記配列方向に沿った幅Ｗに対する、前記主切断面における前記単位形状要素の前記本体部からの突出高さＨの比（Ｈ／Ｗ）が、０．２以上０．４以下である、請求項１〜４のいずれか一項に記載の導光板。
【請求項６】
前記本体部は、樹脂からなる主部と、前記主部中に分散された拡散成分と、を含む、請求項１〜５のいずれか一項に記載の導光板。
【請求項７】
請求項１〜６のいずれか一項に記載の導光板と、
前記導光板の前記入光面に対向して配置された光源と、を備える、面光源装置。
【請求項８】
前記導光板の前記一つの入光面が第１の入光面を構成するとともに、前記導光板の前記反対面が第２の入光面を構成し、
前記光源は、前記第１の入光面に対向して配置された第１の光源と、前記第２の入光面に対向して配置された第２の光源と、を含む、請求項７に記載の面光源装置。
【請求項９】
前記光源は、前記入光面に対向する位置に並べられた複数の点状発光体を含む、請求項７または８に記載の面光源装置。
【請求項１０】
請求項７〜９のいずれか一項に記載の面光源装置と、
前記面光源装置に対向して配置された液晶表示パネルと、を備える、表示装置。
【請求項１１】
請求項９に記載の面光源装置と、
前記面光源装置に対向して配置された液晶表示パネルと、
各点状発光体の出力を制御する制御装置と、を備え、
前記制御装置は、表示されるべき映像に応じて各点状発光体の出力を調節するように構成されている、表示装置。
【発明の詳細な説明】
【技術分野】
【０００１】
本発明は、出光面と、出光面に対向する裏面と、出光面と裏面との間の側面の少なくとも一部分からなる入光面と、を有する導光板に係り、とりわけ、光源に対面する入光面近傍となる発光面（表示面）上の領域での明るさの面内ばらつきを目立たなくさせることができる、導光板に関する。また、本発明は、このような導光板を含んだ面光源装置、および、このような導光板を含んだ面光源装置がバックライトとして組み込まれた表示装置に関する。
【背景技術】
【０００２】
面状に光を照射する面光源装置が、例えば液晶表示装置に組み込まれ液晶表示パネルを背面側から照明するバックライトとして、広く普及している（例えば、特許文献１）。液晶表示装置用の面光源装置は、大別すると、光学部材の直下に光源を配置する直下型と、光学部材の側方に光源を配置するエッジライト型（サイドライト型とも呼ぶ）と、に分類される。
【０００３】
エッジライト型の面光源装置は、直下型の面光源装置と比較して、面光源装置の薄型化を可能にするといった構造的特徴を有している。この構造的特徴から、エッジライト型面光源装置は、これまで主としてノート型パーソナルコンピュータ（以下において、単に「ノート型ＰＣ」とも呼ぶ）用の表示装置に適用されてきた。
【先行技術文献】
【特許文献】
【０００４】
【特許文献１】特開２００４−２２６５０３号公報
【発明の概要】
【発明が解決しようとする課題】
【０００５】
昨今においては、発光ダイオードに代表される直進性の良い光を発光する光源の開発にともない、エッジライト型面光源装置が、ノート型ＰＣよりも大きいサイズの表示装置、例えば家庭用のテレビにも適用されつつある。ところが、発光ダイオードを線状に並べてなる光源を用いた場合、光源に対面する入光面近傍となる表示面（発光面）上の領域において、明るさ（より厳密には、輝度）の面内ばらつきが発生することが確認された。より具体的には、入光面近傍となる表示面（発光面）上の領域において、発光ダイオードの配列方向に沿って発光ダイオードの配列ピッチと同一ピッチで明部および暗部が繰り返し形成されることが知見された。
【０００６】
また、このような明るさの面内ばらつきは、導光方向に沿って延びる線状プリズムを出光側に設けられた導光板を用いた場合に、より顕著となるとなることが確認された。具体的には、プリズム付き導光板を用いた場合、表示面（発光面）上において、明るさの面内ばらつきが確認される領域の割合が大きくなることが知見された。
【０００７】
さらには、今後、発光ダイオードの発光強度の改善にともない、発光ダイオードの配置間隔を広げることによって使用される発光ダイオードの数量を減じ、これにより、表示装置の低コスト化を図る傾向が生じるものと予測される。このような傾向にともない、上述した入光面近傍となる表示面（発光面）上の領域での明るさの面内ばらつきは、より明瞭且つより広い領域で確認されるようになると予想される。
【０００８】
本発明は、このような点を考慮してなされたものであり、光源に対面する入光面近傍となる表示面（発光面）上の領域での明るさの面内ばらつきを目立たなくさせることができる導光板、面光源装置および表示装置を提供することを目的とする。
【課題を解決するための手段】
【０００９】
本発明による第１の導光板は、
出光面と、前記出光面に対向する裏面と、前記出光面と前記裏面との間の側面の一部分からなる少なくとも一つの入光面と、前記側面の一部分からなり第１方向に沿って一つの入光面に対向する反対面と、を有する導光板であって、
本体部と、
前記第１方向と交差する配列方向に並べて前記本体部の一側面上に配列され、前記出光面をなす複数の単位形状要素と、を備え、
前記複数の単位形状要素の各々は、その配列方向と交差する方向に延び、
前記本体部の前記一側面への法線方向と前記配列方向との両方に平行な主切断面において前記単位形状要素の外輪郭が前記本体部の前記一側面に対してなす角度を出光面角度とすると、前記配列方向に沿った前記単位形状要素の幅のうちの３５％以上７０％以下に対応する前記外輪郭上の領域において、前記単位形状要素の前記出光面角度が１０°より大きく３０°以下となっている。
【００１０】
なお、課題を解決するための手段および特許請求の範囲において規定する主切断面に関する記載、例えば「前記本体部の前記一側面への法線方向と前記配列方向との両方に平行な主切断面において前記単位形状要素の外輪郭（または、前記溝の出光側面）が前記本体部の前記一側面に対してなす角度を出光面角度とすると、前記配列方向に沿った前記単位形状要素（または溝）の幅のうちの３５％以上７０％以下に対応する前記外輪郭（または出光側面）上の領域において、前記単位形状要素（または前記溝）の前記出光面角度が１０°より大きく３０°以下となっている」との記載は、第１方向におけるすべての位置での主切断断面において、当該記載で定められた条件が各単位形状要素（各溝）によって満たされることを意味するものではない。
【００１１】
本発明による第１の導光板において、前記単位形状要素の前記出光面角度は、前記本体部から最も離間した前記単位形状要素の前記外輪郭上の頂部から前記本体部に最も接近した前記単位形状要素の前記外輪郭上の端部へ向けて、大きくなっていてもよい。
【００１２】
また、本発明による第１の導光板において、前記単位形状要素の前記主切断面における前記外輪郭上の全域において、前記出光面角度は１０°より大きく６０°以下となっていてもよい。
【００１３】
さらに、本発明による第１の導光板において、前記配列方向に沿った前記単位形状要素の幅のうちの３０％以上６５％以下に対応する前記外輪郭上の領域において、前記出光面角度が３０°より大きく６０°以下となっていてもよい。
【００１４】
さらに、本発明による第１の導光板において、前記主切断面における前記単位形状要素の前記配列方向に沿った幅Ｗに対する、前記主切断面における前記単位形状要素の前記本体部からの突出高さＨの比（Ｈ／Ｗ）が、０．２以上０．４以下となっていてもよい。
【００１５】
さらに、本発明による第１の導光板において、前記単位形状要素は、前記主切断面において、前記本体部の前記一側面上に一辺が位置するとともに前記外輪郭上における頂部と各端部との間に二辺が位置する五角形形状、或いは、前記五角形形状の一以上の角を面取りしてなる形状を有し、前記外輪郭上における頂部と各端部との間に位置する前記二辺のうち、前記頂部側の一辺の出光面角度が１０°より大きく３０°以下であり、前記端部側の一辺の出光面角度が３０°より大きく６０°以下であってもよい。
【００１６】
さらに、本発明による第１の導光板において、前記本体部は、樹脂からなる主部と、前記主部中に分散された拡散成分と、を含んでもよい。
【００１７】
本発明による第２の導光板は、
出光面と、前記出光面に対向する裏面と、前記出光面と前記裏面との間の側面の一部分からなる少なくとも一つの入光面と、前記側面の一部分からなり第１方向に沿って一つの入光面に対向する反対面と、を有する導光板であって、
本体部と、
前記第１方向と交差する配列方向に並べて前記本体部の一側面に並べて形成され、前記出光面をなす複数の溝と、を備え、
前記複数の溝の各々は、その配列方向と交差する方向に延び、
前記本体部の前記一側面への法線方向と前記配列方向との両方に平行な主切断面において前記溝の出光側面（壁面）が前記本体部の前記一側面に対してなす角度を出光面角度とすると、前記配列方向に沿った前記溝の幅のうちの３５％以上７０％以下に対応する前記出光側面上の領域において、前記溝の前記出光面角度が１０°より大きく３０°以下となっている。
【００１８】
本発明による第２の導光板において、前記溝の前記出光面角度は、前記本体部の前記一側面（仮想の一側面）から最も離間した前記溝の前記出光側面上の最深部から前記本体部の前記一側面に最も接近した前記溝の前記出光側面上の端部へ向けて、大きくなっていてもよい。
【００１９】
また、本発明による第２の導光板において、前記溝の前記主切断面における前記出光側面上の全域において、前記出光面角度は１０°より大きく６０°以下となっていてもよい。
【００２０】
さらに、本発明による第２の導光板において、前記配列方向に沿った前記溝の幅のうちの３０％以上６５％以下に対応する前記出光側面上の領域において、前記出光面角度が３０°より大きく６０°以下となっていてもよい。
【００２１】
さらに、本発明による第２の導光板において、前記主切断面における前記溝の前記配列方向に沿った幅Ｗに対する、前記主切断面における前記溝の前記本体部からの深さＤの比（Ｄ／Ｗ）が、０．２以上０．４以下であってもよい。
【００２２】
さらに、本発明による第２の導光板において、前記溝は、前記主切断面において、前記本体部の前記一側面上に一辺が位置するとともに前記出光側面上における最深部と各端部との間に二辺が位置する五角形形状、或いは、前記五角形形状の一以上の角を面取りしてなる形状を有し、前記出光側面上における最深部と各端部との間に位置する前記二辺のうち、前記最深部側の一辺の出光面角度が１０°より大きく３０°以下であり、前記端部側の一辺の出光面角度が３０°より大きく６０°以下であってもよい。
【００２３】
さらに、本発明による第２の導光板において、前記本体部は、樹脂からなる主部と、前記主部中に分散された拡散成分と、を含んでもよい。
【００２４】
本発明による面光源装置は、上述した本発明による第１および第２の導光板のいずれかと、前記導光板の前記入光面に対向して配置された光源と、を備える。
【００２５】
本発明による面光源装置において、前記導光板の前記一つの入光面が第１の入光面を構成するとともに、前記導光板の前記反対面が第２の入光面を構成し、
前記光源は、前記第１の入光面に対向して配置された第１の光源と、前記第２の入光面に対向して配置された第２の光源と、を含んでもよい。
【００２６】
本発明による面光源装置において、前記光源は、前記入光面に対向する位置に並べられた複数の点状発光体を含んでもよい。
【００２７】
本発明による表示装置は、上述した本発明による面光源装置のいずれかと、前記面光源装置に対向して配置された液晶表示パネルと、を備える。
【００２８】
本発明による表示装置が制御装置をさらに備え、
前記光源が、前記入光面に対向する位置に並べられた複数の点状発光体を含み、前記制御装置は、各点状発光体の出力を制御して、表示されるべき映像に応じて各点状発光体の出力を調節するように構成されていてもよい。
【発明の効果】
【００２９】
本発明によれば、光源に対面する入光面近傍となる表示面（発光面）上の領域での明るさの面内ばらつきを目立たなくさせることができる。
【図面の簡単な説明】
【００３０】
【図１】図１は、本発明による一実施の形態を説明するための図であって、表示装置および面光源装置の概略構成を示す断面図である。
【図２】図２は、図１の面光源装置の作用を説明する図である。
【図３】図３は、図１の面光源装置に組み込まれた導光板を示す斜視図である。
【図４】図４は、導光板の作用を説明するための図であって、図３のＩＶ−ＩＶ線に沿った断面において導光板を示す図である。
【図５】図５は、図４に対応する断面図であって、主として入光面近傍での導光板の作用を説明するための図である。
【図６】図６（ａ）〜（ｃ）は、入光面近傍での導光板の作用を説明するための図であって、導光板の本体部へ入射する光源光の光路を示す図である。このうち図６（ａ）は、単位形状要素を省略した導光板を出光面の側から示す平面図である。図６（ｂ）は、単位形状要素を省略した導光板を、出光面および入光面の両方向に直交する方向から、すなわち側方から、示す図である。図６（ｃ）は、単位形状要素を省略した導光板を入光面の側から示す図である。
【図７】図７は、図４と同様の断面において、導光板の一変形例を説明するための図である。
【図８】図８は、図４と同様の断面において、導光板の他の変形例を説明するための図である。
【図９】図９は、図１に対応する図であって、面光源装置の一変形例を示す図である。
【図１０】図１０は、実施例１に係る導光板の主切断面における単位形状要素の断面形状を示す図である。
【図１１】図１１は、実施例２に係る導光板の主切断面における単位形状要素の断面形状を示す図である。
【図１２】図１２は、比較例１に係る導光板の主切断面における単位形状要素の断面形状を示す図である。
【図１３】図１３は、比較例２に係る導光板の主切断面における単位形状要素の断面形状を示す図である。
【図１４】図１４は、比較例３に係る導光板の主切断面における単位形状要素の断面形状を示す図である。
【図１５】図１５は、比較例４に係る導光板の主切断面における単位形状要素の断面形状を示す図である。
【図１６】図１６は、比較例５に係る導光板の主切断面における単位形状要素の断面形状を示す図である。
【図１７】図１７は、比較例６に係る導光板の主切断面における単位形状要素の断面形状を示す図である。
【発明を実施するための形態】
【００３１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００３２】
図１〜図６（ｃ）は本発明による一実施の形態を説明するための図である。このうち、図１は、液晶表示装置および面光源装置の概略構成を示す断面図であり、図２は、面光源装置の作用を説明するための断面図である。図３は、面光源装置に含まれた導光板を示す斜視図であり、図４および図５は、主切断面において導光板を示す断面図である。図６は、入光面近傍における光源からの光の光路を説明するための図である。なお、図１および図２の導光板は、図３におけるＸ−Ｘ線に沿った断面で示されている。
【００３３】
図１に示すように、表示装置１０は、液晶表示パネル１５と、液晶表示パネル１５の背面側に配置され液晶表示パネル１５を背面側から面状に照らす面光源装置２０と、液晶表示パネル１５および面光源装置２０を制御する制御装置１８と、を備えている。表示装置１０は、表示面１１を有している。
【００３４】
図示された液晶表示パネル１５は、出光側に配置された上偏光板１３と、入光側に配置された下偏光板１４と、上偏光板１３と下偏光板１４との間に配置された液晶セル１２と、を有している。このうち、液晶セル１２は、ガラス等からなる一対の支持板と、支持板間に配置された液晶と、液晶分子の配向を一つの画素を形成する領域毎に電場によって制御する電極と、を有する部材である。制御装置１８は、画素毎の液晶分子の配向を制御するように構成されている。この結果、液晶表示パネル１５は、面光源装置２０からの光の透過および遮断を画素毎に制御するシャッターとして機能し、面光源装置２０からの面状光を選択して透過させることにより、画像を形成するようになる。液晶表示パネル１５の詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【００３５】
次に、面光源装置２０について説明する。面光源装置２０は、面状に光を発光する発光面２１を有し、液晶表示パネル１５を背面側から照明する装置である。図１に示すように、面光源装置２０は、エッジライト型の面光源装置として構成され、導光板３０と、導光板３０の側方に配置された光源２４ａ，２４ｂと、を有している。導光板３０は、液晶表示パネル１５側の主面によって構成された出光面３１と、出光面３１に対向するもう一方の主面からなる裏面３２と、出光面３１および裏面３２の間を延びる側面と、を有している。そして、導光板３０の側面の一部分によって少なくとも一つの入光面が形成され、この入光面に対向して光源２４ａ，２４ｂが配置されている。また、側面の一部分によって一つの入光面３３に対向する反対面３４も形成され、当該一つの入光面３３から導光板３０に入射した光は、概ね、当該一つの入光面３３と、当該一つの入光面３３に対向する反対面３４と、を結ぶ第１方向（導光方向）に導光板３０内を導光されるようになる。加えて、面光源装置２０は、導光板３０の裏面３２に対向して配置された反射シート２２と、導光板３０の出光面３１に対向して配置された光学シート２６と、をさらに有している。
【００３６】
なお、図示する例において、液晶表示装置１０の表示面１１および面光源装置２０の発光面２１とともに、導光板３０の出光面３１は、四角形形状に形成されている。すなわち、導光板３０は、全体的に、一対の主面（出光面３１および裏面３２）を有する四角形板状の部材として構成されている。したがって、一対の主面間に画成される側面は四つの面を含んでいる。そして、図１に示すように、側面のうちの第１方向に対向する二つの面が、入光面３３，３４をなしている。言い換えると、上述した一つの入光面が第１入光面３３として機能し、この一つの入光面に対向する反対面が第２入光面３４として機能するようになっている。そして、図１に示すように、第１入光面３３に対向して第１光源２４ａが設けられ、第２入光面３４に対向して第２光源２４ｂが設けられている。また、本実施の形態における導光板３０は、第１方向に沿った各位置において、一定の断面形状を有するようになっている。
【００３７】
第１光源２４ａおよび第２光源２４ｂは、例えば、線状の冷陰極管等の蛍光灯や、点状のＬＥＤ（発光ダイオード）や白熱電球等の種々の態様で構成され得る。本実施の形態において、第１光源２４ａおよび第２光源２４ｂの各々は、対応する入光面３３，３４の長手方向に沿って、並べて配置された多数の点状発光体、具体的には、多数の発光ダイオード（ＬＥＤ）によって、構成されている。なお、図３には、第１光源２４ａをなす多数の点状発光体２５の配置位置が示されている。制御装置１８は、各点状発光体２５の出力、すなわち、各点状発光体２５の点灯および消灯、及び／又は、各点状発光体２５の点灯時の明るさを、他の点状発光体の出力から独立して調節し得るように構成されている。
【００３８】
反射シート２２は、導光板３０の裏面３２から出射した光を反射して、再び導光板３０内に入射させるための部材である。反射シート２２は、白色の散乱反射シート、金属等の高い反射率を有する材料からなるシート、高い反射率を有する材料からなる薄膜（例えば金属薄膜）を表面層として含んだシート等から、構成され得る。
【００３９】
光学シート２６は、入光側から入射した光の進行方向を変化させて出光側から出射させ、正面方向の輝度を集中的に向上させるためのシート状部材である。図１および図２に示す例において、光学シート２６は、そのシート面上の一方向（配列方向）、具体的には、上述した導光板３０の入光面３３（３４）とこの入光面３３（３４）に対向する反対面３４（３３）とを結ぶ第１方向に沿って並べて配列された複数の単位プリズム２７を有している。単位プリズム２７は、光学シート３０のシート面上において、その配列方向に直交する方向に直線状に延びている。単位プリズム２７は、その長手方向に直交する断面において、三角形形状の断面形状を有している。単位プリズム２７の断面三角形形状の頂角によってなされる頂部２８は、入光側、すなわち、導光板３０の側に向けて突出している。
【００４０】
なお、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００４１】
また、本明細書において「シート面（板面、フィルム面）」とは、対象となるシート状の部材を全体的かつ大局的に見た場合において対象となるシート状部材の平面方向と一致する面のことを指す。そして、本実施の形態においては、導光板３０の板面、光学シート２６のシート面、反射シート２２のシート面、液晶表示パネルのパネル面、表示装置１０の表示面１１、および、面光源装置２０の発光面２１は、互いに平行となっている。さらに、本明細書において「正面方向」とは、面光源装置２０の発光面２１に対する法線の方向ｎｄ（例えば、図２および図４参照）であり、本実施の形態においては、表示装置１０の表示面１１への法線方向、導光板３０の板面への法線方向、全体的かつ大局的に見た場合における導光板３０の出光面３１への法線方向等にも一致する。
【００４２】
さらに、本明細書において、「単位形状要素」、「プリズム」、「レンズ」といった用語は、入射光に対して種々の光学的作用（例えば、反射や屈折）を及ぼし得る形状を有した要素（光学要素）を意味するものである。また、「単位形状要素」、「プリズム」および「レンズ」等の用語は、光学要素として、呼称の違いのみに基づいて、互いから区別されるものではない。
【００４３】
次に、図２〜図４を主に参照して、導光板３０についてさらに詳述する。図２および図３によく示されているように、導光板３０は、板状に形成された本体部４０と、本体部４０の一側面（出光側面）４１上に形成された複数の単位形状要素（単位光学要素、単位プリズム）５０と、を有している。本体部４０は、一対の平行な主面を有する平板状の部材として構成されている。そして、光学シート２６に対面しない側に位置する本体部４０の他側の面４２によって、導光板３０の裏面３２が構成されている。
【００４４】
図２に示すように、本体部４０は、樹脂からなる主部４４と、主部４４中に分散された拡散成分４５と、を有している。ここでいう拡散成分４５とは、本体部４０内を進む光に対し、反射や屈折等によって、当該光の進路方向を変化させる作用を及ぼし得る成分のことである。このような拡散成分４５の光拡散機能（光散乱機能）は、例えば、主部４４をなす材料とは異なる屈折率を有した材料から拡散成分４５を構成することにより、あるいは、光に対して反射作用を及ぼし得る材料から拡散成分４５を構成することにより、付与され得る。主部４４をなす材料とは異なる屈折率を有する拡散成分４５として、金属化合物、気体を含有した多孔質物、さらには、単なる気泡が例示される。なお、図２以外の図においては、拡散成分４５を省略している。
【００４５】
次に、本体部４０の一側面４１上に設けられた単位形状要素５０について説明する。図３によく示されているように、複数の単位形状要素５０は、第１方向に交差し且つ本体部４０の一側面４１と平行な配列方向に沿って、本体部４０の一側面４１上に、配列されている。各単位形状要素５０は、本体部４０の一側面４１上を、その配列方向と交差するようにして線状に延びている。
【００４６】
とりわけ本実施の形態において、複数の単位形状要素５０は、本体部４０の一側面４１上に、第１方向と直交する第２方向（配列方向）に隙間無く並べて配列されている。したがって、導光板３０の出光面３１は、単位形状要素５０の出光側面５１によって構成されている。また、各単位形状要素５０は、第２方向と直交する第１方向に沿って、直線状に延びている。さらに、各単位形状要素５０は、柱状に形成され、その長手方向に沿って同一の断面形状を有するようになっている。また、本実施の形態において、複数の単位形状要素５０は、互いに同一に構成されている。
【００４７】
次に、図４および図５に示された断面、すなわち、単位形状要素の配列方向（第２方向）および本体部４０の一側面４１（導光板３０の板面）への法線方向ｎｄの両方向に平行な断面（以下においては、単に「主切断面」とも呼ぶ）における、各単位形状要素５０の断面形状について説明する。本実施の形態において、単位形状要素５０の主切断面における外輪郭（出光側面）５１は、当該外輪郭が本体部４０の一側面４１に対してなす角度である出光面角度θａが、１０°より大きく３０°以下となる領域（第１領域）Ｚ１を含んでいる。そして、出光面角度θａが１０°より大きく３０°以下となっているこの第１領域Ｚ１は、単位形状要素の配列方向（つまり、第２方向）に沿った単位形状要素５０の全幅Ｗのうちの３５％以上７０％以下の幅に対応する外輪郭５１上の領域を占めている。
【００４８】
すなわち、出光面角度θａが１０°より大きく３０°以下となっている第１領域Ｚ１は、正面方向ｎｄに投影された場合に、単位形状要素５０の全幅のうちの３５％以上７０％以下を占めるようになる。図４に示された例においては、単位形状要素５０の配列方向に沿った単位形状要素５０の第１領域Ｚ１の幅Ｗａは、単位形状要素５０の全幅Ｗに対して３５％以上７０％以下となっている。この結果、正面方向ｎｄから導光板３０の出光面３１を観察した場合、単位形状要素５０の出光側面（外輪郭）５１が占めている領域のうちの３５％以上７０％以下の領域において、単位形状要素５０の出光面角度θａが１０°より大きく３０°以下となっている。このように、出光面角度θａが、１０°より大きく３０°以下となる第１領域Ｚ１を単位形状要素５０の出光側面５１に設けることによって、後に詳述するように、また実施例に対する評価結果からも示されているように、光源２４ａ，２４ｂに対面する入光面３３，３４近傍となる表示面１１または発光面２１の領域に明暗のムラが生じてしまうことを防止することができる。
【００４９】
なお、ここでいう出光面角度θａとは、上述したように、導光板３０の主切断面において、単位形状要素５０の出光側面（外輪郭）５１が本体部４０の一側面４１に対してなす角度である。図４に示す例のように、単位形状要素５０の主切断面における外輪郭（出光側面）５１が折れ線状に形成されている場合には、折れ線を構成する各直線部と本体部４０の一側面４１との間に形成される角度（厳密には、形成される二つの角のうちの小さい方の角度（劣角の角度））が出光面角度θａとなる。一方、後述する変形例にように、単位形状要素５０の主切断面における外輪郭（出光側面）５１が曲面によって構成されることもある（図７および図８参照）。そして、曲面状の単位形状要素５０の外輪郭５１については、当該外輪郭への接線ＴＬと本体部４０の一側面４１との間に形成される角度（厳密には、形成される二つの角のうちの小さい方の角度（劣角の角度））を、出光面角度θａとして特定することとする。
【００５０】
また、本実施の形態において、単位形状要素５０の主切断面における外輪郭（出光側面）５１は、出光面角度θａが、３０°より大きく６０°以下となる領域（第２領域）Ｚ２をさらに含んでいる。そして、出光面角度θａが３０°より大きく６０°以下となっているこの第２領域Ｚ２は、単位形状要素５０の配列方向（つまり、第２方向）に沿った単位形状要素５０の全幅Ｗのうちの３０％以上６５％以下の幅に対応する外輪郭５１上の領域を占めている。すなわち、出光面角度θａが３０°より大きく６０°以下となっている第２領域Ｚ２は、正面方向ｎｄに投影された場合に、単位形状要素５０の全幅Ｗのうちの３０％以上６５％以下を占めるようになる。結果として、正面方向から導光板３０の出光面３１を観察した場合、単位形状要素５０の出光側面（外輪郭）５１が占めている領域のうちの３０％以上６５％以下の領域において、単位形状要素５０の出光面角度が３０°より大きく６０°以下となっている。このように、出光面角度θａが、３０°より大きく６０°以下となる第２領域Ｚ２を単位形状要素５０の出光側面５１に設けることによって、後に詳述するように、また実施例についての評価結果からも示されているように、単位形状要素５０の配列方向（第２方向）に沿った光の成分に対して優れた集光機能を発揮することができる。
【００５１】
さらに、本実施の形態において、単位形状要素５０の主切断面における外輪郭（出光側面）５１上の全域において、出光面角度θａは１０°より大きく６０°以下となっている。このような、導光板３０を用いることによって、入光面３３，３４近傍に対応する表示面１１または発光面１２の領域に明暗のムラが生じてしまうことを防止することができるとともに、単位形状要素５０の配列方向（第２方向）に沿った光の成分に対して優れた集光機能を発揮することができる。
【００５２】
加えて、本実施の形態において、単位形状要素５０の出光面角度θａは、本体部４０から最も離間した単位形状要素５０の外輪郭５１上の頂部５２ａから本体部４０に最も接近した単位形状要素５０の外輪郭４１上の端部５２ｂへ向けて、大きくなる。このような導光板３０によれば、入光面３３，３４近傍に対応する表示面１１または発光面１２の領域に明暗のムラが生じてしまうことを防止する機能ならびに単位形状要素５０の配列方向（第２方向）に沿った光の成分を集光させる機能の両方がより効果的に発揮されるようになる。
【００５３】
なお、単位形状要素５０の外輪郭５１上の頂部５２ａから端部５２ｂへ向けて出光面角度θａが大きくなるとは、出光面角度が常に増大するように変化していることのみを意味するものではない。図４に示す例のように、単位形状要素５０の主切断面における外輪郭５１が折れ線状または折れ線の折れ曲がり部を面取りしてなる形状からなり、出光面角度θａが変化しない領域があってもよい。すなわち、ここでいう、単位形状要素５０の外輪郭５１上の頂部５２ａから端部５２ｂへ向けて出光面角度θａが大きくなっている形状とは、頂部５２ａでの出光面角度θａよりも端部５２ｂでの出光面角度θａの方が大きく、且つ、頂部５２ａから端部５２ｂへ向けて出光面角度θａが小さくなるように変化する箇所を含んでいない形状も含む。
【００５４】
ところで、図４および図５に示された一具体例としての単位形状要素５０は、導光板３０の主切断面において、本体部４０の一側面４１上に一辺が位置するとともに外輪郭４１上における頂部５２ａと各端部５２ｂとの間に二辺が位置する五角形形状、或いは、この五角形形状の一以上の角を面取りしてなる形状となっている。また、図示する例においては、正面方向輝度を効果的に上昇させること、および、第２方向に沿った面内での輝度の角度分布に対称性を付与することを目的として、単位形状要素５０の主切断面における断面形状は、正面方向ｎｄを中心として、対称性を有している。すなわち、図４および図５によく示されているように、各単位形状要素５０の出光側面５１は、正面方向を中心として対称的に構成された一対の折れ面３７，３８によって構成されている。一対の折れ面３７，３８は、互いに接続されて頂部５２ａを画成している。各折れ面３７，３８は、頂部５２ａを画成する第１傾斜面３７ａ，３８ａと、第1傾斜面３７ａ，３８ａへ本体部４０の側から接続する第２傾斜面３７ｂ，３８ｂと、を有している。一対の第１傾斜面３７ａ，３８ａは正面方向ｎｄを中心として対称的な構成を有するとともに、一対の第２傾斜面３７ｂ，３８ｂも正面方向ｎｄを中心として対称的な構成を有している。
【００５５】
そして、図４に示された単位形状要素５０は、主切断面での外輪郭５１上における頂部５２ａと各端部５２ｂとの間に位置する二つの辺のうち、第１傾斜面３７ａ，３８ａによって構成される頂部５２ａ側の辺は、１０°より大きく３０°以下の出光面角度θａ１を有し、第２傾斜面３７ｂ，３８ｂによって構成される端部５２ｂ側の辺は、３０°より大きく６０°以下の出光面角度θａ２を有している。すなわち、単位形状要素５０の出光側面５１の上述した第１領域Ｚ１は、正面方向ｎｄを中心として対称的に構成された一対の第１傾斜面３７ａ，３８ａが配置されている領域となり、単位形状要素５０の出光側５１面の上述した第２領域Ｚ２は、正面方向を中心として対称的に構成された一対の第２傾斜面３７ｂ，３８ｂが配置されている領域となる。
【００５６】
なお、単位形状要素５０の全体的な構成として、導光板３０の主切断面における単位形状要素５０の配列方向への幅Ｗに対する、導光板３０の主切断面における単位形状要素５０の本体部４０からの正面方向に沿った突出高さＨの比（Ｈ／Ｗ）が、０．２以上０．４以下となっていることが好ましい。このような単位形状要素５０によれば、出光側面５１での屈折により、単位形状要素５０の配列方向（第２方向）に沿った光の成分に対して優れた集光機能を発揮することができる。
【００５７】
なお、本件明細書における「五角形形状」とは、厳密な意味での五角形形状のみでなく、製造技術における限界や成型時の誤差等を含む略五角形形状を含む。また同様に、本明細書において用いる、その他の形状や幾何学的条件を特定する用語、例えば、「平行」、「直交」および「対称」等の用語も、厳密な意味に縛られることなく、同様の光学的機能を期待し得る程度の誤差を含めて解釈することとする。
【００５８】
ここで、導光板３０の寸法は、一例として、以下のように設定され得る。まず、単位形状要素５０の具体例として、幅Ｗ（図４参照）を０．０５ｍｍ以上０．５ｍｍ以下とすることができる。また、単位形状要素５０の主切断面における外輪郭５１が折れ線の折れ曲がり部を面取りしてなる形状となっている場合、主切断面において、面取りされた箇所の曲率半径の値が単位形状要素５０の幅Ｗの値以下となっていることが好ましい。面取りされた部分の曲率半径が単位形状要素５０の幅Ｗの値よりも大きくなっている場合、単位形状要素５０が期待された機能を発揮することができなくなるためである。一方、本体部４０の厚みは、０．５ｍｍ〜６ｍｍとすることができる。
【００５９】
以上のような構成からなる導光板３０は、基材上に単位形状要素５０を賦型することにより、あるいは、押し出し成型により、作製することができる。導光板３０の本体部４０の主部４４および単位形状要素５０をなす材料としては、種々の材料を使用することができる。ただし、表示装置に組み込まれる光学シート用の材料として広く使用され、優れた機械的特性、光学特性、安定性および加工性等を有するとともに安価に入手可能な材料、例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）が好適に使用され得る。一方、拡散成分４５は、一例として、平均粒径が０．５〜１００μｍ程度であるシリカ（二酸化珪素）、アルミナ（酸化アルミニウム）、アクリル樹脂、ポリカーボネート樹脂、シリコーン樹脂等の透明物質からなる粒子を、用いることができる。
【００６０】
電離放射線硬化型樹脂を基材上に硬化させることによって導光板３０を作製する場合、単位形状要素５０とともに、単位形状要素５０と基材との間に位置するようになるシート状のランド部を、基材上に形成するようにしてもよい。この場合、本体部４０は、基材と電離放射線硬化型樹脂によって形成されたランド部とから構成されるようになる。また、基材として、拡散成分とともに押し出し成型された樹脂材料からなる板材を、用いることができる。
【００６１】
一方、押し出し成型で作製された導光板３０においては、本体部４０と、本体部４０の一側面４１上の複数の単位形状要素５０と、が一体的に形成され得る。また、押し出し成型によって導光板３０を作製する場合、単位形状要素５０が、本体部４０の主部４４をなす材料と同一の樹脂材料と、本体部４０の拡散成分４５をなす粒子と、から構成されてもよい。あるいは、いわゆる共押し出しにより導光板３０が作製され、本体部４０が、樹脂材料からなる主部４４と、主部４４中に分散された拡散成分４５と、から構成され、その一方で、単位形状要素５０が、本体部４０の主部４４をなす材料と同一の樹脂材料と、本体部４０の拡散成分４５とは別途の機能を有した粒子と、から構成されてもよいし、あるいは、本体部４０の主部４４をなす材料と同一の樹脂材料のみから構成されてもよい。
【００６２】
次に、以上のような構成からなる表示装置１０の作用について説明する。
【００６３】
まず、図２に示すように、光源２４ｂ，２４ｂをなす発光体２５で発光された光は、入光面３３，３４を介し、導光板３０に入射する。図２には、一例として、第１光源２４ａから第１入光面３３を介して導光板３０に光が入射する例が示されている。以下、この図２に示された例に基づいて面光源装置２０および表示装置１０の作用について説明する。ただし、導光板３０は、第１方向における中央位置Ｐｃを中心として対称的な構成を有している。また、第１光源２４ａおよび第２光源２４ｂは、第１方向に導光板３０を挟んで、対称的に構成されている。さらに、光学シート２６等の面光源装置２０の他の構成要素、および、液晶表示パネル１５も、同様に対称性を有している。このような構成の対称性にともない、第２光源２４ｂから第２入光面３４を介して導光板３０に入射する光に対しても、以下の説明が同様に当てはまる。
【００６４】
図２に示すように、導光板３０へ入射した光Ｌ２１，Ｌ２２は、導光板３０の出光面３１および裏面３２において、反射、とりわけ導光板３０をなす材料と空気との屈折率差に起因して全反射を繰り返し、導光板３０の入光面３３と反対面（他方の入光面）３４とを結ぶ第１方向（導光方向）へ進んでいく。
【００６５】
ただし、導光板３０の本体部４０内には拡散成分４５が分散されている。このため、図２に示すように、導光板３０内を進む光Ｌ２１，Ｌ２２は、拡散成分４５によって進行方向を不規則に変更され、全反射臨界角未満の入射角度で出光面３１および裏面３２に入射することもある。この場合、当該光は、導光板３０の出光面３１および裏面３２から、出射し得るようになる。出光面３１から出射した光Ｌ２１，Ｌ２２は、導光板３０の出光側に配置された光学シート２６へと向かう。一方、裏面３２から出射した光は、導光板３０の背面に配置された反射シート２２で反射され再び導光板３０内に入射して導光板３０内を進むことになる。
【００６６】
導光板３０内を進行する光と、導光板３０内に分散された拡散成分４５と、の衝突は、導光板３０内の導光方向に沿った各区域において、生じる。このため、導光板３０内を進んでいる光は、少しずつ、出光面３１から出射するようになる。これにより、導光板３０の出光面３１から出射する光の導光方向（第１方向）に沿った光量分布を均一化させることができる。
【００６７】
とりわけ、図４に示すように、単位形状要素５０の主切断面における断面形状は、正面方向を中心として対称的に配置された五角形形状または当該五角形形状の一以上の角を面取りしてなる形状となっている。より詳細には上述したように、導光板３０の出光面３１は、導光板３０の裏面３２に対して傾斜した折れ面３７，３８として、構成されている。そして、この折れ面３７，３８からなる出光面３１で全反射して導光板３０内を進む光およびこの折れ面３７，３８からなる出光面３１を通過して導光板３０から出射する光は、この折れ面３７，３８からなる出光面３１によって、以下に説明する作用を及ぼされるようになる。まず、折れ面３７，３８からなる出光面３１で全反射して導光板３０内を進む光に対して及ぼされる作用について説明する。
【００６８】
図４には、出光面３１および裏面３２において全反射を繰り返しながら導光板３０内を導光方向（第１方向）に進む光Ｌ４１，Ｌ４２の光路が、導光板の主切断面内に示されている。上述したように、導光板３０の出光面３１は、正面方向を中心として対称的に配置された五角形形状または当該五角形形状の一以上の角を面取りしてなる形状を断面形状として有している単位形状要素５０の出光側面５１によって形成され、より具体的には、本体部４０の一側面４１への法線方向ｎｄを挟んで互いに逆側に傾斜した二種類の折れ面３７，３８を含んでいる。また、互いに逆側に傾斜した二種類の折れ面３７，３８は、第２方向に沿って、交互に並べられている。そして、図４に示すように、導光板３０内を出光面３１に向けて進み出光面３１に入射する光Ｌ４１，Ｌ４２は、多くの場合、二種類の折れ面３７，３８のうちの、導光板の主切断面において本体部４０の一側面４１への法線方向ｎｄを基準として当該光の進行方向とは逆側に傾斜した傾斜面へ入射する。
【００６９】
この結果、図４に示すように、導光板３０内を進む光Ｌ４１，Ｌ４２は、出光面３１の折れ面３７，３８で全反射する多くの場合、主切断面においてその進行方向は正面方向ｎｄを中心として逆側に向くようになる。つまり、当該光の第２方向に沿った成分が、出光面３１での全反射により、逆側に向かされやすくないっている。このようにして、導光板３０内を第１方向（導光方向）に誘導される光は、出光面３１で全反射する度に、その第２方向における進行方向を逆転されやすくなっている。この結果、光源２４ａ，２４ｂの発光体２５から第１方向に対して大きく傾斜した方向に発光され導光板３０内に入射した光も、第２方向への移動を規制されながら、主として第１方向へ進むようになる。これにより、導光板３０の出光面３１から出射する光の第２方向に沿った光量分布を、光源２４ａ，２４ｂの構成（例えば、発光体２５の配列）や、発光体２５の出力によって、調節することが可能となる。
【００７０】
次に、折れ面３７，３８を通過して導光板３０から出射する光に対して、折れ面３７，３８から及ぼされる作用について説明する。図４に示すように、単位形状要素５０を介して導光板３０から出射する光Ｌ４１，Ｌ４２は、導光板３０の出光面３１をなす単位形状要素５０の出光側面５１をなす傾斜面３７，３８において屈折する。この屈折により、主切断面において正面方向ｎｄから傾斜した方向に進む光Ｌ４１，Ｌ４２の進行方向（出射方向）は、主として、導光板３０内を通過している際における光の進行方向と比較して、正面方向ｎｄに対してなす角度が小さくなるように、曲げられる。このような作用により、単位形状要素５０は、導光方向と直交する第２方向に沿った光の成分について、透過光の進行方向を正面方向ｎｄ側に絞り込むことができる。すなわち、単位形状要素５０は、導光方向と直交する第２方向に沿った光の成分に対して、集光作用を及ぼすようになる。このようにして、導光板３０から出射する光の出射角度は、導光板３０の単位形状要素５０の配列方向と平行な面内において、正面方向を中心とした狭い角度範囲内に絞り込まれる。
【００７１】
以上のようにして最終的に導光板３０の出光面３１から出射した光Ｌ２１，Ｌ２２は、図２に示すように、光学シート２６へ入射する。上述したように、光学シート２６は、導光板３０側へ向けて頂角が突出する断面三角形形状の単位プリズム２７を有している。図２によく示されているように、単位プリズム２７の長手方向は、導光板３０による導光方向（第１方向）と交差する方向、とりわけ本実施の形態では導光方向と直交する第２方向と、平行になっている。また、導光板３０をなす材料と空気との屈折率差に起因し、導光板３０の出光面３１から出射する光の第１方向成分の出射角度（出射光の第１方向成分と導光板３０の板面への法線方向ｎｄとがなす角度）θｃは、特定の角度範囲（例えば、６５°〜８５°）内に偏る、傾向がある。
【００７２】
これらのことから、図２に示すように、導光板３０の出光面３１から出射した光の多くが、光学シート２６の単位プリズム２７の一方のプリズム面２７ａを透過して当該単位プリズム２７へ入射し、その後、当該単位プリズム２７の他方のプリズム面２７ｂで全反射するように、光学シート２６を設計することができる。単位プリズム２７のプリズム面２７ｂでの全反射により、図２の断面（第１方向と正面方向ｎｄとの両方向に平行な断面）において正面方向ｎｄから傾斜した方向に進む光Ｌ２１，Ｌ２２は、その進行方向が正面方向ｎｄに対してなす角度が小さくなるように、曲げられる。このような作用により、単位プリズム２７は、第１方向（導光方向）に沿った光の成分について、透過光の進行方向を正面方向ｎｄ側に絞り込むことができる。すなわち、光学シート２６は、第１方向に沿った光の成分に対して、集光作用を及ぼすようになる。
【００７３】
なお、このように光学シート２６の単位プリズム２７によってその進行方向を大きく変化させられる光は、主として、単位プリズム２７の配列方向である第１方向に進む成分であり、導光板３０の単位形状要素５０の出光側面５１によって集光させられる第２方向に進む成分とは異なる。したがって、光学シート２６の単位プリズム２７での光学的作用によって、導光板３０の単位形状要素５０によって上昇させられた正面方向輝度を害すことなく、さらに、正面方向輝度を向上させることができる。
【００７４】
以上のように、面光源装置２０では、第１方向（導光方向）に沿った出射光量の分布を均一化させ、さらに、正面方向輝度を向上させ、発光面２１から光を面状に発光する。面光源装置２０を出光した光は、その後、液晶表示パネル１５に入射する。液晶表示パネル１５は、面光源装置２０からの光を画素毎に選択的に透過させる。これにより、液晶表示装置１０の観察者が、映像を観察することができるようになる。
【００７５】
また、上述したように、導光板３０内に入射した光は、単位形状要素５０の出光側面５１をなす折れ面３７，３８によって第２方向への移動を規制されながら、第１方向へ進むようになる。すなわち、光源２４ａ，２４ｂをなす多数の発光体２５の各々で発光された光は、導光板３０の出光面３１のうちの、第２方向における所定の位置に位置し且つ第１方向に延びる特定の領域内から、主として出射することになる。したがって、表示装置１０の表示面１１に表示される映像に対応して、制御装置１８が、各発光体２５の出力を調節するようにしてもよい。
【００７６】
例えば、表示装置１０の表示面１１内のある領域に何も表示しない場合、言い換えると、表示装置１０の表示面１１内のある領域に黒を表示する場合、表示面１０の当該領域に対応する導光板３０の出光面３１の領域に光を供給する点状発光体２５を消灯させるようにしてもよい。この場合、面光源装置２０からの照明光を表示パネル１５で完全に遮断できないことに起因するコントラストの低下といった従来の不具合を解消することができる。また、電気使用量を節約することができ、省エネルギーの観点からも好ましい。
【００７７】
さらに、黒を表示する例に限られず、表示面１１に表示される映像に対応して各点状発光体２５の出力の程度を調節することにより、表示パネル１５のみに依存することなく、表示される映像の各領域における明るさを調節するようにしてもよい。このような例においても、表示される像のコントラストを向上させることができるとともに、省エネルギーを実現することができる。
【００７８】
ところで、昨今における環境問題への関心の高まりから、発光ダイオードが、光源をなす発光体として注目を浴びている。発光ダイオードは、エネルギー効率の観点において、これまで光源をなす発光体として広く普及していた冷陰極管よりも、非常に優れている。しかしながら、本件発明者らは、発光ダイオード等からなる点状発光体を線状に配列して光源を形成し、従来の面光源装置の冷陰極管からなる光源と置き換えて使用した場合、導光板の出光面のうちの入光面近傍の領域、あるいは、導光板の出光面の当該領域に対応する面光源装置の発光面または表示装置の表示面の領域に、明るさのムラが生じること、すなわち輝度面内ばらつきが生じることを、面光源装置の開発を通して知見した。
【００７９】
本件発明者らの調査によれば、発光ダイオード等からなる点状発光体を線状に並べてなる光源を用いた場合、光源に対面する入光面近傍となる導光板出光面上の領域において明暗のムラが発生すること、より具体的には、入光面近傍となる導光板出光面上の領域において、点状発光体の配列方向（第２方向）に沿って点状発光体の配列ピッチと同一ピッチで明部および暗部が繰り返し形成されていた。
【００８０】
また、昨今においては、導光方向（第１方向）に沿って直線状に延びるプリズムが導光方向と直交する方向（第２方向）に並べられている導光板が、普及しつつある。この線状プリズムは導光板の出光面をなし、導光板からの出射光に対して集光作用を及ぼすようになっている。より具体的には、線状プリズムは、正面方向に対して４５°程度傾斜したプリズム面（傾斜面）を有している。このプリズム面での屈折によって、透過光の進行方向は、正面方向に対する角度が小さくなるように偏向される。その一方で、正面方向を中心とした狭い角度範囲内の方向へ偏向させることができない光については、プリズム面での反射、とりわけ全反射によって、進行方向が裏面の側へ折り返される。
【００８１】
そして、このような集光作用を期待された単位プリズムを導光板に設けた場合、導光板の出光面のうちの入光面近傍領域に発生する明るさの第２方向に沿ったムラがより顕著となるとなること、さらに詳細には、明るさの第２方向に沿ったムラの発生領域が広範囲になることが、本件発明者らの研究によって知見された。
【００８２】
一方、上述してきた本実施の形態によれば、このような不具合の発生を効果的に抑制し得ることが確認された。このような現象が生じる理由の詳細は不明であるが、本件発明者らの研究を通して推定される理由を、以下に説明する。以下では、光源に対面する入光面近傍領域において輝度の面内ばらつきが発生する推定理由とともに、本実施の形態によって、このような輝度の面ばらつきを目立たなくさせる推定理由も説明する。ただし、本発明は以下の推定に限定されるものではない。
【００８３】
導光板３０の入光面３３，３４に対面して配置された光源２４ａ，２４ｂをなす点状発光体（例えば、発光ダイオード）は、図６（ａ）〜（ｃ）に示すように、光を放射状に放つ。なお、図６（ａ）〜（ｃ）には、光が、点状発光体２５の一発光点２５ａから、導光方向を中心として放射状に放たれている例を示している。したがって、ある発光点２５ａから発光された光は、図６（ａ）〜（ｃ）において点線で示された円錐状に広がる光束ＬＦとなる。また、図６（ａ）〜（ｃ）では、それぞれ、正面方向、第２方向（単位形状要素の配列方向）および第１方向（単位形状要素の長手方向）から同一の光路を観察した状態を示している。ただし、図６（ａ）〜（ｃ）では、理解のしやすさの便宜から、単位形状要素５０を省略している。
【００８４】
図６（ａ）〜（ｃ）に示すように光が放射状に放たれるため、導光板３０の入光面３３，３４直近において導光板３０の出光面３１（図示においては、本体部４０の出光側面４１）に直接入射（光源２５ａ，２５ｂから導光板３０へ入射した後、裏面３２で反射されることなく、直接出光面３１へ入射）し得る光は、点状発光体２５の配列方向、すなわち第２方向に沿った成分を多く含まない光（言い換えると、第２方向へあまり進まない光）Ｌ６１である。その一方で、点状発光体２５から放射状に発光された光のうち、第２方向に沿った成分を多く含む光（言い換えると、第２方向へよく進む光）Ｌ６３は、第１方向成分を僅かにしか含まないため、入光面３３，３４から遠く離れた位置Ｐ３において、導光板３０の出光面３１（図示においては、本体部４０の出光側面４１）に直接入射し得るようになる。
【００８５】
このようなことから、一つの点状発光体２５から放射状に発光された光が直接入射し得る領域Ａ１は、正面方向から観察した場合に、図６（ａ）に示すように、対象とする一つの点状発光体２５に第１方向から対面する位置Ｐ１において当該一つの点状発光体２５に最も接近する曲線ＣＬによって取り囲まれる領域（以下において、明領域とも呼ぶ）となる。とりわけ、市販されているエッジライト型面光源装置において通常の使用態様であるように、一つの点状発光体から発光される光が、導光方向（第１方向）を中心として放射状の領域に進む場合、当該放射状光ＬＦが直接入射し得る明領域Ａ１は、対象とする一つの点状発光体２５に第１方向から対面する位置Ｐ１に極値を取る放物線ＣＬによって取り囲まれる領域となる。
【００８６】
したがって、導光板３０の入光面３３，３４近傍における出光面３１のうち、第２方向に隣り合う二つの点状発光体２５の中間位置に対面して導光方向（第１方向）に沿って延びる領域（以下において、暗領域とも呼ぶ）Ａ２には、放射状に光を放つ点状発光体２５から導光板３０内に入射した光が裏面等で反射することなく直接に到達することはない。この結果、この暗領域Ａ２からの出光量は、隣接する領域Ａ１であって、放射状に光を放つ点状発光体２５から導光板３０内に入射した光が直接に到達し得る領域Ａ１からの出光量よりも、著しく低下する。
【００８７】
以上のことが、点状発光体２５からなる光源に対面する入光面近傍において、点状発光体の配列方向に沿って点状発光体の配列ピッチと同一ピッチで明暗の縞が生じていた理由であると考えられる。
【００８８】
また、第２方向成分を多く含まない光（例えば、図６（ａ）〜（ｃ）における光Ｌ６１）が、比較的に大きい出光面角度、具体的には、屈折による優れた集光特性を発揮し得る４５°程度の出光面角度を有した出光面に入射した場合、いわゆる再帰反射のような全反射を繰り返して進行方向を転換して、裏面へと向かうようになる（図５における光Ｌ５１参照）。すなわち、当該光Ｌ５１の第２方向成分は大きく変化することなく、第１方向へ進むことになる。この結果、明瞭域Ａ１に入射した当該光Ｌ５１が、第２方向へ拡散されることはない。すなわち、明瞭域Ａ１に入射した当該光Ｌ５１が、暗領域Ａ２に向かうことが規制される。
【００８９】
それどころか、僅かに傾斜した光（例えば、図６（ａ）〜（ｃ）における光Ｌ６２）までもが、上述した単位形状要素５０から受ける作用と同様に、４５°程度の出光面角度を有した出光面での反射によって、第２方向への移動を拘束されることになる。したがって、集光を目的として出光面角度が比較的に大きい単位プリズムを設けられた導光板を用いた場合、点状発光体の配列方向（第２方向）に沿った輝度の面内ばらつきが生じる領域が、より大きな領域で確認されていたものと推定される。
【００９０】
さらに、今後、発光ダイオードの発光強度の改善にともない、発光ダイオードの配置間隔を広げることによって使用される発光ダイオードの数量を減じ、これにより、表示装置の低コスト化を図る傾向が生じることが予測される。このような発光ダイオードの配置間隔が広がる傾向にともない、上述した光源近傍での輝度の面内ばらつきは、より明瞭且つより広い領域で確認されるようになると予想される。
【００９１】
一方、本実施の形態によれば、上述したように単位形状要素５０の配列方向に沿った単位形状要素５０の全幅Ｗのうちの３５％以上７０％以下の幅領域に対応する外輪郭上の領域（第１領域Ｚ１）、すなわち、正面方向から観察した場合に単位形状要素５０の全幅Ｗのうちの３５％以上７０％以下を占めるようになる外輪郭５１上の領域Ｚ１で、導光板３０の主切断面において単位形状要素５０の出光側面５１または出光側面５１への接線が本体部４０の一側面４１に対してなす角度である出光面角度θａ１が、１０°より大きく３０°以下となっている。本件発明者らが鋭意研究を重ねたところ、比較的小さな出光面角度θａを有した単位形状要素５０の出光側面５１によれば、図５に示すように、点状発光体２５から入光面３３を介して導光板３０に入射した光のうち、第２方向成分を殆ど持たず且つ正面方向ｎｄと平行な方向に沿った成分を強く持つ光Ｌ５２であって、入光面３３の極近傍において出光面３１に直接入射する光Ｌ５２を、第２方向へ効果的に拡散させ得ることが確認された。さらに詳細には、単位形状要素５０の配列方向に沿った単位形状要素５０の全幅Ｗのうちの３５％以上７０％以下に対応する外輪郭５１上の領域で、出光面角度θａが１０°より大きく３０°以下となっている場合には、入光面３３近傍における出光面３１での輝度の面内ばらつきを、目視での判別不可能な程度にまで、目立たなくさせることが可能であることが確認された。
【００９２】
また、本実施の形態においては、単位形状要素５０の配列方向に沿った単位形状要素５０の全幅Ｗのうちの３０％以上６５％以下に対応する外輪郭上の領域（第２領域）Ｚ２において、出光面角度θａ２が３０°より大きく６０°以下となっている。本件発明らが鋭意研究を重ねたところ、このような導光板３０を用いた場合、上述したように当該導光板３０の単位形状要素５０が、出光面角度θａが１０°より大きく３０°以下となる出光側面５１（出光面３１）を含んでいたとしても、単位形状要素５０の配列方向（第２方向）に沿って優れた集光機能を発揮し得ることが確認された。具体的には、表示装置１０を家庭用のテレビとして用いることを前提として、第２方向に沿った成分に対する集光作用を及ぼすことを目的として別途の集光シートを面光源装置２０に組み込む必要が無い程度に、導光板３０の単位形状要素５０が集光機能を発揮し得ることを確認した。
【００９３】
さらに、本実施の形態においては、単位形状要素５０の主切断面における外輪郭５１上の全域において、出光面角度は１０°より大きく６０°以下となっている。これによって、単位形状要素５０の配列方向（第２方向）に沿った成分に対して集光作用を全く及ぼされること無く、光が導光板３０から出射することを防止することができる。
【００９４】
加えて、本実施の形態では、単位形状要素５０の出光面角度θａは、本体部４０から最も離間した単位形状要素５０の外輪郭５１上の頂部５２ａから本体部４０に最も接近した単位形状要素５０の外輪郭５１上の端部５２ｂへ向けて、大きくなっている。したがって、単位形状要素５０の本体部４０から離間した頂部５２ａの側において、単位形状要素５０の出光側面５１が比較的に小さい出光面角度θａ１を有するようになる。その一方で、本体部４０に近接した端部５２ｂの側において、単位形状要素５０の出光側面５１が比較的に大きな出光面角度θａ２を有するようになる。とりわけ、本実施の形態によれば、単位形状要素５０の頂部５２ａを含む第１領域Ｚ１に、出光面角度θａが１０°より大きく３０°以下であって第２方向成分に対して優れた拡散機能を発揮し得る出光側面５１（出光面３１）が、第１傾斜面３７ａ，３８ａによって形成されている。その一方で、単位形状要素５０の端部５２ｂを含む第２領域Ｚ２に、出光面角度θａが３０°より大きく４５°以下であって、第２方向への光の進行をより効果的に抑制し得るとともに第２方向に沿った成分に対して極めて効果的に集光機能を発揮し得る出光側面５１（出光面３１）が、第２傾斜面３７ｂ，３８ｂによって形成されている。
【００９５】
第２方向に沿った成分を多く含む光（例えば、図４における光Ｌ４１，Ｌ４２）は、当然に、単位形状要素５０の出光側面５１のうちの本体部４０に近接する端部５２ｂ側の領域に入射しやすくなる。その一方で、第２方向に沿った成分を僅かにしか含まない光（例えば、図４における光Ｌ５１，Ｌ５２）は、概ね、単位形状要素５０の出光側面５１の全領域に均等に入射し得る。したがって、単位形状要素５０の出光側面５１のうちの本体部４０から離間した頂部５２ａを含む領域に入射する光は、本体部４０に近接した端部５２ｂを含む領域に入射する光との比較において、第２方向に沿った成分が僅かである光をより高い割合で含むようになる。この結果、単位形状要素５０の出光側面５１のうちの出光面角度θａが１０°より大きく３０°以下である出光側面５１が、第２方向に沿った成分が僅かである光に対して、選択的に拡散作用を及ぼすことになり、入光面３３，３４近傍となる出光面３１上の領域における明暗ムラを目立たなくさせることができる。
【００９６】
このように、出光面角度θａが１０°より大きく３０°以下となっている出光側面５１を本体部４０から離間した位置に配置することにより、入光面３３，３４近傍における明暗ムラを効果的に目立たなくさせることができる。したがって、１０°より大きく３０°以下の出光面角度θａ１を有した出光側面５１を本体部４０から離間した位置に配置した場合、本体部４０に近接した位置に配置する場合と比較して、入光面３３，３４近傍における明暗ムラを同程度に目立たなくさせながら、単位形状要素５０の全出光側面５１のうちの当該低出光面角度θａ１を有した出光側面５１の割合（第１領域の割合）を抑えることができる。これにより、出光面角度θａが３０°より大きく６０°以下の出光側面５１を単位形状要素５０により多く付与することができ、結果として、第２方向へ沿った成分に対する優れた集光機能を導光板３０に付与することも可能となる。
【００９７】
とりわけ、観察者によって明るさが知覚されやすいのは表示領域の中央部であることから、正面方向輝度が最も重要視されるのは、入光面３３，３４から離間した出光面３１の中央を含む領域となる。そして、入光面３３，３４から離間した出光面３１の中央を含む領域まで導光板３０内を導光された光は、入光面３３，３４近傍を通過している光と比較して、第２方向に沿った成分をより多く含むようになっている。したがって、正面方向輝度が最も重要視される入光面３３，３４から離間した出光面３１の中央領域では、単位形状要素５０の出光側面５１のうちの本体部４０に接近した端部５２ｂを含む第２領域Ａ２、すなわち、優れた集光機能を発揮し得る単位形状要素５０の出光側面５１上の領域を介して、導光板３０から多くの光が出射するようになる。
【００９８】
また、上述したように、単位形状要素５０の頂部５２ａ近傍における出光側面５１に到達するのは、第２方向に沿った成分が比較的に少ない光（例えば、図５における光Ｌ５２）が多く含まれている。そして、第２方向に沿った成分が少ない光に対しては、そもそも、強い集光作用を及ぼす必要がない。したがって、出光面角度が３０°以下である出光面を単位形状要素５０の頂部５２ａを含む領域に設けることによれば、単位形状要素５０による集光機能に著しく悪影響を与えることはない。
【００９９】
以上の結果、比較的に集光機能が弱くなる出光面角度θａが１０°より大きく３０°以下の出光側面５１（第１傾斜面３７ａ，３８ａ）を本体部４０から離間した位置に配置することによって、当該出光側面５１（第１傾斜面３７ａ，３８ａ）を設けることに起因した単位形状要素５０全体としての集光機能の低下を効果的に抑制し、結果として、目視で確認され得る程度の正面方向輝度の大幅な低下を回避することができる。すなわち、単位形状要素５０の外輪郭５１上の頂部５２ａから端部５２ｂへ向けて単位形状要素５０の出光面角度θａが大きくなる場合、入光面３３，３４近傍における明暗ムラを目立たなくさせることができるとともに、入光面３３，３４から離間した中央領域での正面方向輝度を効果的に上昇させることができる。
【０１００】
なお、上述した実施の形態に対して様々な変更を加えることが可能である。以下、図面を参照しながら、変形の一例について説明する。以下の説明で用いる図面では、上述した実施の形態における対応する部分に対して用いた符号と同一の符号を用いており、重複する説明を省略する。
【０１０１】
例えば、導光板３０の単位形状要素５０の上述した構成は例示に過ぎない。一例として、導光板の主切断面において、単位形状要素５０の外輪郭５１が曲線を含むようにしてもよい。なお、既に述べているが、導光板の主切断面での単位形状要素５０の断面形状が曲線を含む場合、出光面角度θａは、図７および図８に示すように、単位形状要素５０の主切断面における外輪郭５１への接線ＴＬと、本体部４０の一側面４１と、によってなされる角度、より厳密には、形成される二つの角のうちの小さい方の角度（劣角の角度））の値として特定される。このような変形例においても、単位形状要素５０が上述した構成を有していることが好ましい。例えば、単位形状要素５０の曲線状の外輪郭５１への接線ＴＬの接点ＴＰの位置が、本体部４０の一側面４１と平行な方向において、単位形状要素５０の全幅Ｗのうちの３５％以上７０％以下の領域にある場合に、出光面角度θａが１０°より大きく３０°以下となっている場合、入光面３３の極近傍において出光面３１に直接入射する光を第２方向へ効果的に拡散させることができ、入光面３３近傍における出光面３１での輝度の面内ばらつきを目立たなくさせることができる。
【０１０２】
また、上述した実施の形態において、導光板３０の単位形状要素５０が互いに隣接して配置されている例を示したが、これに限られない。例えば、図７に示すように、隣り合う二つの単位形状要素５０間に平坦部５８が形成されていてもよいし、図８に示すように、隣り合う二つの単位形状要素５０間に凹部５９が形成されていてもよい。
【０１０３】
さらに、上述した実施の形態において、本体部４０の一側の面４１上に単位形状要素５０を設けることによって、導光板３０の出光面３１が、導光板３０の板面に対して傾斜した傾斜面３７ａ，３７ｂ，３８ａ，３８ｂを含むようにした例を示したが、これに限られない。上述してきた導光板３０の単位形状要素５０を反転してなる構成を有した溝を本体部４０の一側面４１に形成することにより、導光板３０に傾斜面３７ａ，３７ｂ，３８ａ，３８ｂを付与するようにしてもよい。具体的には、上述してきた導光板３０の出光面３１と同一構成の凹凸を有した型を準備し、この型を用いた賦型によって、本体部と、第１方向と交差する配列方向に並べて前記本体部の一側面上に形成された複数の溝であって、各々がその配列方向と交差する方向に延びている、溝を、備えた導光板を形成することができる。この際、上述した実施の形態での単位形状要素５０に関する構成を溝に適用することができる。このような導光板においても、溝の出光側面（壁面）によって構成される傾斜面３７ａ，３７ｂ，３８ａ，３８ｂが、上記実施の形態で説明した光学的機能と同様の光学的機能を発揮することができる。
【０１０４】
さらに、上述した実施の形態において、単位形状要素５０が、その長手方向に沿って一定の断面形状を有する例を示したが、これに限られず、単位形状要素５０の断面形状が、当該単位形状要素の長手方向に沿って変化するようにしてもよい。
【０１０５】
さらに、上述した実施の形態において、導光板３０の側面のうちの対向する二つの面３３，３４が入光面を構成する例を示したが、これに限られない。例えば、図９に示す変形例のように、導光板３０の側面のうちの一つの面３３のみが入光面として機能するようにしてもよい。なお、このような変形例では、面光源装置２０の発光面２１への法線方向ｎｄおよび第１方向の両方向に平行な断面における、導光板３０から出射する出射光の出射方向は、正面方向ｎｄに対して概ね一方の側のみに傾斜するようになる。このため、光学シート２６の単位プリズム２７は、面光源装置２０の発光面２１への法線方向ｎｄおよび第１方向の両方向に平行な断面において対称的な形状を有する必要はない。図９に示す変形例では、単位プリズム２７は、導光板３０からの光を透過させる透過面２７ａと、透過面２７ａを介して導光板３０内に入射した光を全反射させる反射面２７ｂと、を含んでおり、反射面２７ｂは正面方向ｎｄに対して傾斜しているのに対し、透過面２７ａは概ね正面方向ｎｄと平行に延びている。
【０１０６】
さらに、上述した実施の形態において、本体部４０内に拡散成分４５を分散させることによって、導光板３０に入射した光が導光板３０から出射し得るようにした例を示したが、この例に限られない。一例として、図９に示すように、導光板３０の出光面３１および裏面３２を互いに対して傾斜させるようにしてもよい。図９に示す例では、導光板３０の裏面３２は、入光面３３から反対面３４に向かうにつれて、出光面３２に対して接近するように傾斜した複数の傾斜面３２ａと、隣り合う二つの傾斜面３２ａを連結する段差面３２ｂと、を有している。このうち段差面３２ｂは、導光板３０の板面の法線方向ｎｄに延びている。したがって、導光板３０内を入光面３３の側から反対面３４の側へと進む光の多くは、裏面３２のうち、段差面３２ｂに入射することなく、傾斜面３２ａにて反射するようになる。このため、図９に示すように、出光面３１および裏面３２にて反射して導光板３０内を光Ｌ９１が進む場合、当該光Ｌ９１の出光面３１および裏面３２への入射角度は、裏面３２で反射する度に小さくなり、全反射を繰り返した後に全反射臨界角未満となる。この結果、導光板３０内を進む光Ｌ９１は、本体部４０内で光散乱剤４５に衝突しなくとも、入光面３３から離間した領域において、導光板３０内から出射するようになる。これにより、第１方向に沿った出射光量の均一化を図ることができる。
【０１０７】
さらに、上述した実施の形態での例や図９に示す例に限られず、導光板３０に入射した光を導光板３０から出射させるための別の構成（別の光取り出し構成）を、既述の構成と代えて又は既述の構成に加えて、採用することができる。拡散成分４５を分散させる構成および出光面３１および裏面３２を互いに対して傾斜させる構成以外の、導光板からの光取り出しを可能とする構成としては、例えば、出光面３１および裏面３２の少なくとも一方を粗面とする構成や、裏面３２上に白色散乱層のパターンを設ける構成等が、挙げられる。また、図９に示す例において、導光板３０の裏面３２が傾斜面３２ａと段差面３２ｂとを有しているが、これに限られず、段差面３２ｂを省き、導光板３０の裏面３２が一つの連続した平坦な傾斜面や一つの連続した曲面として構成されていてもよい。
【０１０８】
さらに、上述した実施の形態において、導光板３０の出光側に配置される光学シート２６の一例を説明したが、上述した光学シート２６は単なる例示に過ぎない。上述した光学シート２６に代えて、種々の形態の光学シートを用いることができる。例えば、出光側に単位プリズムが突出した光学シートを用いることができる。また、単位プリズム２７の断面形状が三角形形状以外の形状、例えば、三角形以外の多角形や楕円の一部分に相当する形状等となっている光学シートを用いることもできる。
【０１０９】
さらに、上述した面光源装置２０および表示装置１０の構成は、単なる例示に過ぎず、種々の変更が可能である。例えば、透過光を拡散させる機能を有した光拡散シートや、特定の偏光成分のみを透過し、それ以外の偏光成分を反射する偏光分離機能を有した偏光分離シート等を、光学シート２６の出光側に設けるようにしてもよい。
【０１１０】
なお、以上において、上述した実施の形態に対するいくつかの変形例を説明してきたが、当然に、複数の変形例を適宜組み合わせて適用することも可能である。
【実施例】
【０１１１】
以下、実施例を用いて本発明をより詳細に説明するが、本発明はこの実施例に限定されるものではない。
【０１１２】
＜面光源装置＞
まず、実施例１〜２並びに比較例１〜６に係る面光源装置を準備した。各面光源装置は、導光板と、光源と、反射シートと、光学シートとが、上述した態様と同様の位置関係で配置されてなる構成とした。以下に説明するように、準備された実施例１〜２並びに比較例１〜６に係る面光源装置間において、導光板の単位形状要素の断面形状が互いに異なるだけで、光源、反射シートおよび光学シートは互いに同一のものを使用した。
【０１１３】
（導光板）
導光板は、本体部と、本体部の一側面上に配列された単位形状要素と、を有するようにした。導光板は、上述した実施の形態と同様に、対向する一対の側面がそれぞれ入光面をなすようにした。すなわち、一対の側面に対向して、それぞれ、後述する光源が配置されるようにした。
【０１１４】
単位形状要素は、上述した実施の形態と同様に、本体部の一側面上に隙間無く並べた。各単位形状要素は、一定の断面形状を有して、一対の入光面間を結ぶ第１方向に沿って直線状に延びるようにした。そして、この単位形状要素を、第１方向と直交する本体部の一側面上における第２方向に沿って隙間無く配列した。単位形状要素は、アクリル系紫外線硬化型樹脂を硬化させて作製した。この際、単位形状要素と本体部をなす基材との間にランド部を、一定の厚さで、単位形状要素と同一のアクリル系紫外線硬化型樹脂を硬化させて形成した。
【０１１５】
一方、本体部は、ランド部および単位形状要素を賦型する際に基材として機能する板材と、ランド部と、によって形成した。本体部は、裏面と出光面とが平行で厚さが一定の平板状とした。基材は、拡散成分としての光散乱剤を含有するポリメタクリル酸メチル（ＰＭＭＡ）からなる板材とした。
【０１１６】
上述したように、実施例１〜２並びに比較例１〜６に係る面光源装置の間で、単位形状要素の主切断面における断面形状を表１および図１０〜図１５に示すように変更した。すべての面光源装置に組み込まれた導光板において、単位形状要素は正面方向を中心として線対称な断面形状を有するようにした。また、すべての面光源装置に組み込まれた導光板において、単位形状要素の主切断面における幅Ｗを１００μｍとした。なお、図１０〜図１７では、上述した図１〜図９と同様の符号を用いている。
【０１１７】
図１０〜図１５に示すように、実施例１〜２および比較例１〜４に係る面光源装置に組み込まれた導光板において、単位形状要素は、上述した実施の形態と同様に主切断面で略五角形形状となるように形成した。また、主切断面において頂部から端部まで延びる折れ面は、上述した実施の形態と同様に、頂部側に位置する緩斜面（３７ａ，３８ａ）と、端部側に配置され緩斜面よりも出光面角度が大きい急斜面（３７ｂ，３８ｂ）と、を有するようにした。表１および図１０〜図１５には、実施例１〜２および比較例１〜４に係る面光源装置に組み込まれた導光板の単位形状要素について、緩斜面および急斜面の出光面角度（「出光面角度」の欄）、並びに、単位形状要素の配列方向に沿って単位形状要素の全幅に対して緩斜面および急斜面が占める割合（「幅方向占有率」の欄）が、示されている。
【０１１８】
一方、図１６および図１７に示すように、比較例５および比較例６に係る面光源装置に組み込まれた導光板において、単位形状要素の主切断面における断面形状は、二等辺三角形形状となるようにした。比較例５に係る面光源装置の導光板については、単位形状要素が、主切断面において、出光側に突出した頂角が９０°である直角二等辺三角形形状とした。すなわち、比較例５に係る面光源装置の導光板については、単位形状要素の出光面角度は、４５°で一定とした。比較例６に係る面光源装置の導光板については、単位形状要素が、主切断面において、出光側に突出した頂角が１４０°である二等辺三角形形状とした。すなわち、比較例６に係る面光源装置の導光板については、単位形状要素の出光面角度は、２０°で一定とした。
【０１１９】
（光源）
発光部のサイズが１．６ｍｍ×０．８ｍｍである多数のＬＥＤチップを、各ＬＥＤチップの０．８ｍｍの辺が導光板の厚み方向と平行となるようにして、２．０ｍｍのピッチで入光面の長手方向（上述した第２方向）に並べることによって、光源を構成した。上述したように導光板には二つの入光面が設けられており、ＬＥＤチップを多数配列してなる上記光源を、各入光面に対向するようにしてそれぞれ設けた。二つの光源は、導光板の対応する入光面との間に０．８ｍｍの隙間が形成されるようにして配置した。
【０１２０】
（反射シート）
導光板の裏面に対向するようにして、厚さ２５０μｍの白色ポリエステルフィルムからなる反射シートを、配置した。
【０１２１】
（光学シート）
導光板の出光面に対向するようにして、いわゆるプリズムシートとしての光学シートを配置した。光学シート（プリズムシート）は、厚さ１２５μｍのポリエステルフィルム上に、アクリル系紫外線硬化型樹脂から複数の単位プリズムを形成してなるものとした。単位プリズムは、その長手方向に直交する断面において、頂角が６５°の二等辺三角形形状を有するようにした。この光学シートは、上述した実施の形態の光学シートと同様に、単位プリズムが導光板へ向けて突出し、且つ、単位プリズムの配列方向が導光板の導光方向（第１方向）と平行になるようにして、配置した。
【０１２２】
＜評価方法＞
光源が発光している状態の面光源装置を、当該面光源装置の発光面から当該発光面への法線方向に沿って１ｍ離間した位置において、目視で観察した。各面光源装置の発光面のうちの入光面近傍の領域に、明部および暗部の繰り返しからなる明るさのムラが観察されるか否かを確認した。明るさのムラが明確に観察されたサンプルについて、表１の「評価」の「目視判断」の欄に×を付した。また、明るさのムラがうっすらと観察されたサンプルについて、表１の「評価」の「目視判断」の欄に△を付した。さらに、明るさのムラが観察されなかったサンプルについて、表１の「評価」の「目視判断」の欄に○を付した。
【０１２３】
また、正面方向輝度を測定した。測定には、輝度計ＢＭ−７（ＴＯＰＣＯＮ社製）を用いた。測定結果をサンプル間での輝度比として表１の「評価」の「輝度」の欄に示す。
【０１２４】
【表１】
0005533310.tif 000002
【符号の説明】
【０１２５】
１０  表示装置
１５  液晶表示パネル
１８  制御装置
２０  面光源装置
２２  反射シート
２４ａ，２４ｂ  光源
２５  発光体
２６  光学シート
３０  導光板
３１  出光面
３２  裏面
３３  入光面（第１入光面）
３４  反対面（第２入光面）
３７  折れ面
３７ａ  第１傾斜面
３７ｂ  第２傾斜面
３８  折れ面
３８ａ  第１傾斜面
３８ｂ  第２傾斜面
４０  本体部
４１  一側面
４４  主部
４５  拡散成分
５０  単位形状要素
５１  出光側面（外輪郭）
５２ａ  頂部
５２ｂ  端部
【図１】
0005533310.tif 000003
【図２】
0005533310.tif 000004
【図３】
0005533310.tif 000005
【図４】
0005533310.tif 000006
【図５】
0005533310.tif 000007
【図６】
0005533310.tif 000008
【図７】
0005533310.tif 000009
【図８】
0005533310.tif 000010
【図９】
0005533310.tif 000011
【図１０】
0005533310.tif 000012
【図１１】
0005533310.tif 000013
【図１２】
0005533310.tif 000014
【図１３】
0005533310.tif 000015
【図１４】
0005533310.tif 000016
【図１５】
0005533310.tif 000017
【図１６】
0005533310.tif 000018
【図１７】
0005533310.tif 000019